(57)【要約】【課題】栽培対象の植物の生長度合いに合わせて容易に光の照射範囲を拡大し、消費電力を増大させることなく栽培対象である植物に効率よく光を照射する。【解決手段】植物栽培用光源装置２０は、光源１から放射される光ビーム１ｂとレンズ２によって光軸１ｃを成し、レンズ２は光ビーム１ｂを略平行光とし、ミラー３は略平行光となった光ビーム１ｂを偏向するとともに、ミラー保持部材５を介して可動機構６によって光軸方向に可動して、光ビーム１ｂの照射領域を可変する。【選択図】図１
2015029450.tif 000002
【特許請求の範囲】
【請求項１】
光源と、レンズと、ミラーと、ミラー保持部材と、可動機構を搭載した植物栽培用光源装置であって、
前記光源から放射される光ビームと前記レンズによって光軸を成し、
前記レンズは前記光ビームを略平行光とし、
前記ミラーは略平行光となった前記光ビームを偏向するとともに、前記ミラー保持部材を介して前記可動機構によって光軸方向に可動して、
前記光ビームの照射領域を可変にすることを特徴とする植物栽培用光源装置。
【請求項２】
光源と、レンズと、ミラーと、レンズ保持部材と、可動機構を搭載した植物栽培用光源装置であって、
前記光源から放射される光ビームと前記レンズによって光軸を成し、
前記ミラーは前記レンズからの前記光ビームを偏向し、
前記レンズは前記レンズ保持部材を介して可動機構が光軸方向に可動することで前記光ビームを発散光または平行光または収束光として、
前記光ビームの照射領域を可変にすることを特徴とする植物栽培用光源装置。
【請求項３】
前記ミラーは略球面部を有している請求項１または２記載の植物栽培用光源装置。
【請求項４】
前記ミラーは非球面部を有している請求項１または２記載の植物栽培用光源装置。
【請求項５】
光源と、レンズと、少なくとも二つのミラーとを搭載した植物栽培用光源装置であって、
前記光源から放射される光ビームと前記レンズによって光軸を成し、
前記レンズは前記光ビームを略平行光とし、
第一のミラーは前記光源からの光ビームを２次元に走査する走査機構を備え、
第二のミラーは前記第一のミラーからの前記光ビームを反射する略球面部を備えて、
前記走査機構が動作することで前記光ビームの照射領域を可変にすることを特徴とする植物栽培用光源装置。
【請求項６】
前記第二のミラーが前記略球面部にて反射した前記光ビームにおいて、
栽培対象となる植物の位置での走査速度が一定になるよう、前記第一のミラーの角速度を制御する制御手段を備えたことを特徴とする請求項５記載の植物栽培用光源装置。
【請求項７】
前記第一のミラーが等角速度で走査動作したとき、栽培対象となる植物の位置において走査速度が一定になるよう、前記第二のミラーが備えた前記略球面部が非球面であることを特徴とする請求項５記載の植物栽培用光源装置。
【請求項８】
前記光源は、波長が同一ないしは異なる複数の光源によって構成され、前記レンズと成す光軸は前記複数のそれぞれの光源において略同軸となるよう配置した請求項１から請求項７のいずれか１項に記載の植物栽培用光源装置。
【請求項９】
予め栽培対象となる植物の時間経過による生長度合いを記憶する記憶手段と、
時間経過に基づいて前記記憶手段から読み出した生長度合いで照射領域を決定し、
前記光ビームの照射領域範囲を制御する制御手段を備える請求項１から請求項７のいずれか１項に記載の植物栽培用光源装置。
【請求項１０】
前記光ビームの照射光量をモニタするモニタ手段と、
予め栽培対象となる植物の時間経過による生長度合いを記憶する記憶手段と、
時間経過に基づいて前記記憶手段から読み出した生長度合いで照射光量を決定し、
前記光ビームの照射光量を制御する制御手段を備える請求項１から請求項７のいずれか１項に記載の植物栽培用光源装置。
【請求項１１】
予め栽培対象となる植物の時間経過による生長度合いを記憶する記憶手段と、
時間経過に基づいて前記記憶手段から読み出した生長度合いで前記可動機構の可動速度を決定し、
前記光ビームの走査状態を制御する制御手段を備える請求項１または２記載の植物栽培用光源装置。
【請求項１２】
予め栽培対象となる植物の時間経過による生長度合いを記憶する記憶手段と、
時間経過に基づいて前記記憶手段から読み出した生長度合いで前記走査機構の走査速度を決定し、
前記光ビームの走査状態を制御する制御手段を備える請求項５記載の植物栽培用光源装置。
【発明の詳細な説明】
【技術分野】
【０００１】
本発明は、人工的な光源により植物を栽培する技術に関する。
【背景技術】
【０００２】
近年、蛍光灯やＬＥＤ（ｌｉｇｈｔ  ｅｍｉｔｔｉｎｇ  ｄｉｏｄｅ）、半導体レーザー（ｌａｓｅｒ  ｄｉｏｄｅ）などの人工的な光源を用いて植物を栽培する研究が進められており、人工光型植物工場として実用化されている。このような植物工場を設立するための費用としては照明用光源が大半を占めており、またランニングコストもかかってくるため、低コストで植物工場を運営していくには照明用光源の選定、構成の設計が非常に重要となる。
【０００３】
このような植物工場の照明用光源としては、特許文献１に開示されているような植物の葉緑体を撮像手段で検出して、半導体レーザーから出射された光を２次元に走査する走査機構にて栽培対象となる植物へ照射する装置が考えられている。
【０００４】
図８は、特許文献１に開示された装置の一部を簡略化した模式図である。同図に示すように、半導体レーザー１０１には光ファイバ１０２が取り付けられ、ガルバノミラーなどで構成された走査機構１０３によって２次元に半導体レーザー１０１からの光が走査されるようになっている。またモノクロ２次元ＣＣＤである撮像部１０４によって、植物１０９の葉緑体が存在する領域を検出し、その検出結果に基づいて走査機構１０３の走査範囲を決定している。照射範囲が決定されると、走査機構１０３が駆動され、半導体レーザー１０１からの光の照射位置が繰り返し２次元に走査される。
【先行技術文献】
【特許文献】
【０００５】
【特許文献１】特開２０１２−５４５３号公報
【発明の概要】
【発明が解決しようとする課題】
【０００６】
特許文献１には、植物１０９が大きくなった場合、走査機構１０３により走査範囲を拡大するとしているが、走査機構１０３はガルバノミラーなどで構成されているため、ガルバノミラーへの光の入射と反射角度に制限があることから走査する範囲には制限がある。また光の入射と反射角度を拡大すると、ガルバノミラーの駆動振り角度を広げることになるので消費電力の増大につながるが、その解消方法については開示がない。
【０００７】
また特許文献１には、撮像部１０４により葉緑体を検出しているが、撮像部１０４を動作させるには電源投入しなければならず、消費電力が上がるという課題に対してその解消方法については開示がない。
【０００８】
そこで、本発明の１つの実施形態は、栽培対象の植物の生長度合いに合わせて容易に光の照射範囲を拡大し、消費電力を増大させることなく栽培対象である植物に効率よく光を照射する植物栽培用光源装置を提供する。
【課題を解決するための手段】
【０００９】
本発明の一実施形態による植物栽培用照明装置は、光源と、レンズと、ミラーと、ミラー保持部材と、可動機構を搭載した植物栽培用光源装置であって、前記光源から放射される光ビームと前記レンズによって光軸を成し、前記レンズは前記光ビームを略平行光とし、前記ミラーは略平行光となった前記光ビームを偏向するとともに、前記ミラー保持部材を介して前記可動機構によって光軸方向に可動して、前記光ビームの照射領域を可変する。
【００１０】
本発明の他の実施形態による植物栽培用照明装置は、光源と、レンズと、ミラーと、レンズ保持部材と、可動機構を搭載した植物栽培用光源装置であって、前記光源から放射される光ビームと前記レンズによって光軸を成し、前記ミラーは前記レンズからの前記光ビームを偏向し、前記レンズは前記レンズ保持部材を介して可動機構が光軸方向に可動することで前記光ビームを発散光または平行光または収束光として、前記光ビームの照射領域を可変する。
【００１１】
ある実施形態において、前記ミラーは略球面部を有している。
【００１２】
ある実施形態において、前記ミラーは非球面部を有している。
【００１３】
本発明の他の実施の形態による植物栽培用光源装置は、光源と、レンズと、少なくとも二つのミラーとを搭載した植物栽培用光源装置であって、前記光源から放射される光ビームと前記レンズによって光軸を成し、前記レンズは前記光ビームを略平行光とし、第一のミラーは前記光源からの光ビームを２次元に走査する走査機構を備え、第二のミラーは前記第一のミラーからの前記光ビームを反射する略球面部を備えて、前記走査機構が動作することで前記光ビームの照射領域を可変する。
【００１４】
ある実施形態において、前記第二のミラーが前記略球面部にて反射した前記光ビームにおいて、栽培対象となる植物の位置での走査速度が一定になるよう、前記第一のミラーの角速度を制御する制御手段を備える。
【００１５】
ある実施形態において、前記第一のミラーが等角速度で走査動作したとき、栽培対象となる植物の位置において走査速度が一定になるよう、前記第二のミラーが備えた前記略球面部が非球面である。
【００１６】
ある実施形態において、前記光源は、波長が同一ないしは異なる複数の光源によって構成され、前記レンズと成す光軸は前記複数のそれぞれの光源において略同軸となるよう配置する。
【００１７】
ある実施形態において、予め栽培対象となる植物の時間経過による生長度合いを記憶する記憶手段と、時間経過に基づいて前記記憶手段から読み出した生長度合いで照射領域を決定し、前記光ビームの照射領域範囲を制御する制御手段を備える。
【００１８】
ある実施形態において、前記光ビームの照射光量をモニタするモニタ手段と、予め栽培対象となる植物の時間経過による生長度合いを記憶する記憶手段と、時間経過に基づいて前記記憶手段から読み出した生長度合いで照射光量を決定し、前記光ビームの照射光量を制御する制御手段を備える。
【００１９】
ある実施形態において、予め栽培対象となる植物の時間経過による生長度合いを記憶する記憶手段と、時間経過に基づいて前記記憶手段から読み出した生長度合いで前記可動機構の可動速度を決定し、前記光ビームの走査状態を制御する制御手段を備える。
【００２０】
ある実施形態において、予め栽培対象となる植物の時間経過による生長度合いを記憶する記憶手段と、時間経過に基づいて前記記憶手段から読み出した生長度合いで前記走査機構の走査速度を決定し、前記光ビームの走査状態を制御する制御手段を備える。
【発明の効果】
【００２１】
本発明の１つの実施の形態によれば、栽培対象の植物の生長度合いに合わせて容易に光を照射し、消費電力を増大させることなく栽培対象である植物に効率よく光を照射することが可能となる。
【図面の簡単な説明】
【００２２】
【図１】実施の形態１における植物栽培用光源装置の光源ユニットの構成図
【図２】実施の形態１における植物栽培用光源装置の光源ユニットの他の構成例を示す図
【図３】実施の形態２における植物栽培用光源装置の光源ユニットの構成図
【図４】実施の形態２における植物栽培用光源装置の光源ユニットの他の構成例を示す図
【図５】実施の形態３における植物栽培用光源装置の光源ユニットの構成図
【図６】実施の形態１、２、３における植物栽培用光源装置の光源ユニットの他の構成例を示す図
【図７】実施の形態１、２、３における植物栽培用光源装置の構成図
【図８】従来の植物栽培用光源装置の構成を示す図
【発明を実施するための形態】
【００２３】
以下に、実施の形態の植物栽培用光源装置について、適宜図面を参照しながら説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２４】
なお、出願人は、当業者が本開示を十分に理解するために添付図面および以下の説明を提供するのであって、これらによって特許請求の範囲に記載の主題を限定することを意図するものではない。
【００２５】
（実施の形態１）
まず、本実施の形態における植物栽培用光源装置について説明する。
【００２６】
＜１．光源ユニットの構成＞
図１は本実施の形態における植物栽培用光源装置の光源ユニットの構成図である。光源ユニット１５は、半導体レーザーなどの発光手段である光源１、光源１からの放射される光ビーム１ｂを略平行光にするレンズ２、レンズ２による略平行光となった光ビームを植物９の方向へ偏向するミラー３を備える。ここで光源１の発光点１ａとレンズ２の重心で光ビーム１ｂの光軸１ｃを成している。また光源ユニット１５はスクリュー６ｂにかみ合うラック５ａを備えたミラー保持部材５、ミラー保持部材５で保持されたミラー３、ステッピングモータなどの回転手段６ａとスクリュー６ｂで構成された可動機構６、光源１から放射された光ビームの光量をモニタするモニタ手段１０を備える。光源ユニット１５を複数備えることで、後述する植物栽培用光源装置を構成している。
【００２７】
光源１から放射される光の波長は、好ましくは、６３０ｎｍ（ナノメートル）から６８０ｎｍの赤色と呼ばれる波長帯域のものや、３８０ｎｍから５００ｎｍの青色と呼ばれる波長帯域のものである。
【００２８】
可動機構６によって、ミラー保持部材５に保持されたミラー３が光軸１ｃの方向に可動することによって光源１からの光ビーム１ｂを栽培対象である植物９へ移動しながら照射する。この移動によって照射領域が拡大される。したがって植物９の生長度合いによって、ミラー３の移動範囲、すなわち照射領域を可変することができる。光ビーム１ｂはレンズ２によって略平行光となっているため、ミラー３が可動しても一定の大きさでミラー３に照射、反射することができる。またミラー３について例えば約９７％は反射し、残りの約３％は透過するようにしておけばモニタ手段１０によって光量（パワー）をモニタすることができ、植物９の生長度合いによって最適な光量に制御することができる。
【００２９】
＜２．植物栽培用光源装置の構成＞
図７は実施の形態１における植物栽培用光源装置の全体構成図である。植物栽培用光源装置２０は、光源ユニット１５を複数個（図７の例では３個）、前処理回路１６、制御手段である制御回路１７、駆動回路１８、システムコントローラ２８、中央演算処理回路２６、記憶手段である不揮発性メモリ２７を備えている。光源ユニット１５を複数備えているのは、単位面積当たりにおいて植物に必要な光量が、１つの光源ユニット１５だけではまかなえない場合のためである。
【００３０】
前処理回路１６は、光源ユニット１５のモニタ手段１０からの光量を電気信号として生成し、制御回路１７に入力する。制御回路１７は、駆動回路１８を介して光源１の光量の大きさや、可動機構６の動作範囲や動作速度を制御する。駆動回路１８は、光源１、可動機構６に接続している。駆動回路１８は光源１から放射される光ビーム１ｂの光量制御、可動機構６の制御など一連の制御をデジタル制御で実現する。
【００３１】
前処理回路１６で生成された光量信号はシステムコントローラ２８でデジタル信号処理を行う。前処理回路１６、制御回路１７、およびシステムコントローラ２８は、中央演算処理回路２６に接続されており、中央演算処理回路２６の指令により動作する。光源より光ビームを照射し、可動機構を動作させて栽培対象となる植物へ光ビームを最適に照射するといった制御動作を含む一連の動作を規定するプログラムは、予めファームウェアとして不揮発性メモリ２７などの半導体装置に記憶される。このようなファームウェアは、中央演算処理回路２６により、必要な動作の形態に応じて、不揮発性メモリ２７から読み出される。
【００３２】
植物工場で栽培される植物は、基本的に温度や湿度、培養液濃度等の管理が可能で、人工的な照明により照射時間、光量の制御が可能なため、生長に関してのばらつきは非常に少なくなっている。したがって栽培対象となる植物の時間経過による生長度合いをデータ化しておき、そのデータを予め記憶手段である不揮発性メモリ２７に記憶しておけば、消費電力を増やすことなく、時間経過とともにデータを読み出して生長する植物９に合わせて照射領域を決定し、制御手段である制御回路１７によって光源１の光ビーム１ｂの光量や可動機構６の動作範囲、動作速度を制御することで照射領域を最適化することができる。なおデータ化する栽培対象となる植物の時間経過による生長度合いは例えば葉の大きさや葉の広がりや茎の太さなどである。
【００３３】
以上のように、本実施形態によれば、予め栽培対象となる植物の時間経過による生長度合いを記憶しておき、時間経過に基づいて記憶手段から読み出して光量、可動機構の動作範囲、動作速度を制御する。これにより、栽培対象となる植物の生長度合いに合わせて照射条件を可変することができ、消費電力を抑えて最適な栽培が可能になるという優れた効果を有する。
【００３４】
また、図２は植物栽培用光源装置の光源ユニットの図１とは別の構成図である。植物栽培用光源装置の光源ユニット２５は、図１のミラー３の代わりに、略球面部２３ａを有したミラー２３を用いる。図１のミラー３と比較し、光源１から放射される光ビーム１ｂはミラー３の平面での反射よりも拡がった角度で反射が可能になり、植物９に対する照射領域が拡大できるというさらなる効果が得られる。
【００３５】
さらに、光源１は先にも述べたとおり半導体レーザーなどでありガウシアン分布のような光強度分布を持つため、光ビームの放射角度部分によって密度が異なる。したがって略球面部２３ａで反射した照射領域も領域周辺では光強度が低く、領域の中心では光強度が高いという強度むらが生じるため、略球面部２３ａの形状を光強度分布が一定となるよう非球面に形状設計しておけば、光強度にむらが生じることなく一定の光強度で照射できるという効果が得られる。
【００３６】
（実施の形態２）
次に、実施の形態２における植物栽培用光源装置について説明する。
【００３７】
本実施形態における植物栽培用光源装置は、レンズ３２が可動機構３６によって可動することで、光源１から放射される光ビーム１ｂの照射領域を可変とする点が実施形態１と異なっている。以下、実施形態１と異なる点を中心に説明し、同一の事項についての説明は省略する。
【００３８】
図３は本実施の形態における植物栽培用光源装置の光源ユニット３５の構成図である。図３において、図１と同じ構成要素には同一の符号を付している。
【００３９】
本実施の形態では、レンズ保持部材３７はラック３７ａを有しており、可動機構３６のスクリュー３６ｂにかみ合い、ステッピングモータなどの回転手段３６ａが回転動作をすることで光軸１ｃの方向に可動する。レンズ保持部材３７に保持されたレンズ３２が光軸１ｃの方向に可動することで光源１から放射される光ビーム１ｂが発散光、平行光、収束光と可変にすることができる。栽培対象となる植物９が小さい９ｂの状態のときは、照射領域は小さくてもよいため、収束光とし、９ａのように生長して大きくなったときは発散光として照射領域を広げる。このように栽培対象となる植物の生長度合いに合わせて、最適に照射領域を可変することができる。
【００４０】
本実施形態においても、生長度合いを予め記憶し消費電力を増やすことなく、時間経過とともにデータを読み出して生長する植物９に合わせて照射領域を決定し、制御手段である制御回路１７によって光源１の光ビーム１ｂの光量や可動機構３６の動作範囲、動作速度を制御することで照射領域を最適化する点は、実施の形態１と同様である。
【００４１】
以上のように、本実施形態によっても、予め栽培対象となる植物の時間経過による生長度合いを記憶しておき、時間経過に基づいて記憶手段から読み出して光量、可動機構の動作範囲、動作速度を制御する。これにより、栽培対象となる植物の生長度合いに合わせて照射条件を可変することができ、消費電力を抑えて最適な栽培が可能になるという優れた効果を有する。
【００４２】
また、図４は植物栽培用光源装置の光源ユニットの図３とは別の構成図である。本実施の形態においても、実施の形態１と同様に植物栽培用光源装置の光源ユニット４５は、図３のミラー３３の代わりに、略球面部４３ａを有したミラー４３を用いる。図３のミラー３３と比較し、光源１から放射される光ビーム１ｂはミラー３３の平面での反射よりも拡がった角度で反射が可能になり、植物９に対する照射領域が拡大できるという効果が得られる。
【００４３】
さらに、光源１は半導体レーザーなどでありガウシアン分布のような光強度分布を持つため、光ビームの放射角度部分によって密度が異なる。したがって略球面部４３ａで反射した照射領域も領域周辺では光強度が低く、領域の中心では光強度が高いという強度むらが生じるため、略球面部の形状を光強度分布が一定となるよう非球面に形状設計しておけば、光強度にむらが生じることなく一定の光強度で照射できるという効果が得られる。
【００４４】
（実施の形態３）
続いて、実施の形態３による植物栽培用光源装置を説明する。
【００４５】
本実施の形態における植物栽培用光源装置の光源ユニット５５は、第一のミラー５３が走査機構８によって走査動作することと、第二のミラー４が有する略球面部４ａで反射することで、光源１から放射される光ビーム１ｂの照射領域をミラー３のみでの走査領域よりも拡大して可変とする点が実施の形態１と異なっている。以下、実施の形態１と異なる点を中心に説明し、同一の事項についての説明は省略する。
【００４６】
図５は本実施の形態における植物栽培用光源装置の光源ユニット５５の構成図である。図５において、図１と同じ構成要素には同一の符号を付している。
【００４７】
本実施の形態では、第一のミラー５３がガルバノミラーやポリゴンミラー、ＭＥＭＳ（ｍｉｃｒｏ  ｅｌｅｃｔｒｏ  ｍｅｃｈａｎｉｃａｌ  ｓｙｓｔｅｍ）ミラーなどの走査機構８を有している。走査機構８によりミラー５３を２次元に角度を振ることで、光源１から放射されレンズ２によって略平行光となった光ビーム１ｂの照射が２次元に走査される。また２次元に走査された光ビーム１ｂが、略球面部４ａを有している第二のミラー４に照射され反射することで、植物９への照射領域がさらに拡大することができる。
【００４８】
なお本実施の形態において、栽培対象となる植物９の位置での走査速度が一定となるよう、第一のミラー５３の走査機構８の角速度を制御手段である制御回路１７によって制御することで、照射場所によって光ビーム照射速度が異なるのを防ぎ安定した走査を行うことができる。また第一のミラー５３の走査機構８が等角速度で走査動作したとき、栽培対象となる植物９の位置での走査速度が一定となるよう、第二のミラー４の略球面部４ａが非球面を有するようにしておけば照射場所によって光ビーム照射速度が異なるのを防ぎ安定した走査を行うことができる。
【００４９】
本実施形態においても、生長度合いを予め記憶し消費電力を増やすことなく、時間経過とともにデータを読み出して生長する植物９に合わせて照射領域を決定し、制御手段である制御回路１７によって光源１の光ビーム１ｂの光量や走査機構８の走査角度、走査速度を制御することで照射領域を最適化する点は、実施の形態１と同様である。
【００５０】
以上のように、本実施形態によっても、予め栽培対象となる植物の時間経過による生長度合いを記憶手段である不揮発性メモリ２７に記憶しておき、時間経過に基づいて記憶手段から読み出して光量、走査機構の走査範囲、走査速度を制御する。これにより、栽培対象となる植物の生長度合いに合わせて照射条件を可変することができ、消費電力を抑えて最適な栽培が可能になるという優れた効果を有する。
【００５１】
なお実施の形態１、２および３において、図６に示すように光源１に加え光源２１、光源３１といった複数備えることで、栽培対象となる植物へのより最適な照射条件を実現することができる。この場合は光源１からレンズ２までの光学部品の配置において、光源１、光源２１、光源３１それぞれの光軸を略同軸となるよう配置する。光学系を小型にするためにレンズ１２、レンズ２２、レンズ６２、光学素子６３、光学素子６４をそれぞれ配置してもよい。光源１、光源２１、光源３１の波長は同一であってもよいし、例えば光源１と光源２１は赤色波長帯域で光源３１は青色波長帯域であってもよく、栽培対象となる植物に適したものを選定すればよい。これによって植物の栽培育成に適した複数の波長を照射することができ、また同一の波長であれば光量を増大させて照射することができるという優れた効果を有する。
【００５２】
以上のように、本発明における技術の例示として、実施の形態を説明した。そのために、添付図面および詳細な説明を提供した。
【００５３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５４】
また、上述の実施の形態は、本発明における技術を例示するためのものであるから、特許請求の範囲またはその均等の範囲において種々の変更、置き換え、付加、省略などを行うことができる。
【産業上の利用可能性】
【００５５】
本発明にかかる植物栽培用光源装置は、栽培対象となる植物に対して照射条件を最適とし、消費電力を抑えた植物の栽培システムを実現する用途に有用である。
【符号の説明】
【００５６】
１、２１、３１  光源
２、１２、２２、３２、６２  レンズ
３、２３、３３、４３、５３  ミラー
４  第二のミラー
５  ミラー保持部材
６、３６  可動機構
８、１０３  走査機構
９、１０９  植物
１０  モニタ手段
１５、２５、３５、４５、５５  光源ユニット
１６  前処理回路
１７  制御回路
１８  駆動回路
２０  植物栽培用光源装置
２６  中央演算処理回路
２７  不揮発性メモリ
２８  システムコントローラ
１０１  半導体レーザー
１０２  光ファイバ
１０４  撮像部
【図１】
2015029450.tif 000003
【図２】
2015029450.tif 000004
【図５】
2015029450.tif 000005
【図６】
2015029450.tif 000006
【図７】
2015029450.tif 000007
【図８】
2015029450.tif 000008
【図３】
2015029450.tif 000009
【図４】
2015029450.tif 000010